(57)【要約】【課題】  安価で反りをより確実に防止でき、廃棄時に手間がかからないパネル及び、該パネルの製造方法の提供を目的としている。【解決手段】  本発明のパネル１は、厚紙２と、厚紙２の両面に貼り付けられた薄紙３と、薄紙３の外側に貼り付けられた合成樹脂フィルム４と、を有することを特徴としている。また、厚紙２が、厚紙同士を複数枚重ねる構成としたり、厚紙２はダンボールであることとしたり、薄紙３はコートボールであることとしたり、合成樹脂フィルム４の一方に粘着剤層と、剥離紙を設けた構成とすることもできる。【選択図】図１
2007030431.tif 000002
【特許請求の範囲】
【請求項１】
厚紙と、
該厚紙の両面に貼り付けられた薄紙と、
該薄紙の外側に貼り付けられた合成樹脂フィルムと、
を有することを特徴とするパネル
【請求項２】
前記厚紙が、厚紙同士を複数枚重ねることを特徴とする請求項１記載のパネル。
【請求項３】
前記厚紙は、ダンボールであることを特徴とする請求項１又は２記載のパネル。
【請求項４】
前記薄紙はコートボールであることを特徴とする請求項１から３のいずれかに記載のパネル。
【請求項５】
前記合成樹脂フィルムの一方に粘着剤層と、剥離紙を設けたことを特徴とする請求項１から４のいずれかに記載のパネル。
【発明の詳細な説明】
【技術分野】
【０００１】
本発明は湿気等による紙の反りをより確実に防止でき、安価で廃棄時に有毒ガスの発生がなく、手間がかからないパネル及び該パネルの製造方法に関する。
【背景技術】
【０００２】
ダンボール等で形成された平パネルは、看板、サインパネル、展示用ＰＯＰ、および文具等に使用されている。平パネルは製造時に平らに形成されるが、紙が呼吸しているため製造後に周囲の湿気を吸い込み、パネルに反りが発生することがある。反りが発生すると加工が難しく、また加工後に反りが発生した場合には見栄えが悪くなる等の問題がある。
【０００３】
反りを防止するための技術として、発泡ポリスチレン製の板の両面に厚さ６０μｍ程度のアルミ層を蒸着するものがある。また、ダンボールの両面にハニカム構造の板を貼り付けたものもある。
【発明の開示】
【発明が解決しようとする課題】
【０００４】
しかし、発泡ポリスチレン製の板にアルミ蒸着処理を施したものは、非常に高価である。一方、ハニカム構造の板を貼り付けたものは、板を所定の大きさに切るときに切りにくく、また、完全には反りを防止することが出来ない等の問題が有り、使いにくい物となっている。
【０００５】
そこで本発明は、安価で反りをより確実に防止でき、廃棄時に手間がかからないパネル及び、該パネルの製造方法の提供を目的としている。
【課題を解決するための手段】
【０００６】
上記目的を達成するために本発明のパネルは、厚紙と、該厚紙の両面に貼り付けられた薄紙と、該薄紙の外側に貼り付けられた合成樹脂フィルムと、を有することを特徴としている。
【０００７】
また、前記厚紙が、厚紙同士を複数枚重ねる構成としたり、前記厚紙はダンボールであることとしたり、前記薄紙はコートボールであることとしたり、前記合成樹脂フィルムの一方に粘着剤層と、剥離紙を設けた構成とすることもできる。
【発明の効果】
【０００８】
本発明のパネルは、厚紙の両面に薄紙が貼り付けられており、薄紙の外側に合成樹脂フィルムを積層することで、厚紙及び薄紙に湿気が入らなくなり、パネルの反りを防止することができる。
【０００９】
前記厚紙を複数枚重ねることで、所望の厚さのパネルを提供することが出来る。
【００１０】
リサイクルする場合は、合成樹脂フィルムを容易にはがすことができる。また廃棄する場合は、合成樹脂フィルムをはがすことなく焼却してもダイオキシン等の有毒ガスは発生しない。
【発明を実施するための最良の形態】
【００１１】
次に本発明を、図面を基に説明する。
図１は、本発明のパネルの断面図である。パネル１は、厚紙２、薄紙３、及び合成樹脂フィルム４とを積層することで形成されている。
【００１２】
厚紙２は、ダンボールである。図１の実施例ではダンボールを２枚接着して使用している。これはパネル１の強度や厚さ等を考慮したものであるため、パネル１の用途によって、１枚だけにしたり２枚以上の厚紙２を使用したりしても良い。本実施例では、厚紙２としてダンボールを使用しているが、本発明はダンボールに限定するものではなく、チップボール等を使用することも出来る。
【００１３】
薄紙３は接着された複数の厚紙２の両面に接着されている。ここでいう薄紙とは、ダンボール等の厚紙２と比較して薄い紙をいい、業界で言う薄紙とは一致していない。薄紙３としてはコートボール等を使用する。コートボールは、表層に晒化学パルプまたは上白系古紙、中層に中白系から下級古紙、裏層に古紙などで構成されており、表面に塗工処理されたものである。このようなコートボールを厚紙２に貼り付けることで、パネルの表面をきれいに仕上げることができる。
【００１４】
薄紙３の外側には合成樹脂フィルム４がホットメルト等の接着剤によって貼り付けられ、ラミネート加工されている。合成樹脂フィルム４としてはポリプロピレン等を使用する。この合成樹脂フィルム４をラミネートすることによって、厚紙２及び薄紙３の呼吸を止めることができる。そのためパネル１が湿気を吸うことがなく、反りを防止することができる。
【００１５】
図２は本発明のパネルの薄紙と合成樹脂フィルムとをラミネート加工する工程を説明する図である。本発明のパネル１は、薄紙３と合成樹脂フィルム４を貼り付け、それを厚紙２の両面に貼り付けてることで製造される。
【００１６】
薄紙３と合成樹脂フィルム４との貼り付け工程は、図２のように、ロール状に巻かれた合成樹脂フィルム４と、同じくロール状に巻かれた薄紙３を引き出して重ね合わせ、搬送ローラ５等の搬送手段によって上下に分かれた加熱手段６の間を通過することで行われる。合成樹脂フィルム４には、薄紙３と接する面にホットメルトが塗布されている。加熱手段６を通過するとき、合成樹脂フィルム４に塗布されたホットメルトが溶融し、合成樹脂フィルム４と薄紙３を接着する。ラミネート加工された薄紙３と合成樹脂フィルム４は、再度巻き取られて、厚紙２と接着する工程へ渡される。その工程ではまず、厚紙２は所定の枚数が貼り合わされると共に、所定の形状に裁断される。一方、ラミネート加工された薄紙３も同じ形状に裁断され、厚紙２の両面に貼り付けられてパネル１となる。このような製造方法により、大きなサイズのパネルでも簡単に制作することができる。
【００１７】
このようにして製造したパネルを所定の形状や大きさに裁断することで、看板、サインパネル、展示用ＰＯＰおよび文具等に使用することができるようになる。
【００１８】
また、上記のように製造されたパネル１の、一方の合成樹脂フィルム４の表面に粘着剤を塗布し、さらにその上に剥離紙を貼り付けてもよい。剥離紙をはがした粘着剤層の上に、別の紙や合成樹脂シートに描かれた絵等を容易に貼り付けることができる。
【００１９】
なお、本発明のパネル１は、厚紙２に直接ラミネート加工を行ったものではない。これは、厚紙２に直接ラミネート加工を施すと表面をきれいに仕上げることができない、厚紙２はロール状に巻くことができないため、大きなサイズのパネルを制作することができない等の理由からである。
【図面の簡単な説明】
【００２０】
【図１】本発明のパネルの断面図である。
【図２】本発明のパネルの薄紙と合成樹脂フィルムとをラミネート加工する工程を説明する図である。
【符号の説明】
【００２１】
１      パネル
２      厚紙
３      薄紙
４      合成樹脂フィルム
【図１】
2007030431.tif 000003
【図２】
2007030431.tif 000004